(57)【要約】      （修正有）【課題】迅速かつ容易に組立てて、植物の栽培又は生物の飼育ができる複合温室を提供する。【解決手段】複合温室は、基盤１０、外壁組立体、温度制御組立体３０、屋根、植栽床を有する。基盤は、複数のスタンドと、補強装置を有する。外壁組立体は、基盤に取付け、４壁２０と外枠２７を有する。各壁は、ベース枠２１と透明装置２５を有する。外枠を、基盤の前スタンド１１に取付ける壁の外側に取付ける。温度制御組立体は、基盤に取付け、換気装置、水壁装置、吸気装置を有する。屋根は、外壁組立体に取付け、複数の屋根取付体を有する。植栽床は、補強装置に取付け、夫々に２端枠、少なくとも１つの連繋枠、基板、植栽ネット、複数の抵抗板を有する。【選択図】図１
0003174252.tif 000002
【実用新案登録請求の範囲】
【請求項１】
室内と、
基盤であって、
複数の梁と複数の支柱から成る前スタンドと、
前記前スタンドと対面し、複数の梁と複数の支柱から成る後スタンドと
該前スタンドと前記後スタンドに連結し、互いに対面する２側スタンドであって、各側スタンドは複数の梁と複数の支柱から成る該２側スタンドと、  
前記前スタンドの前記支柱の１本と前記後スタンドの前記支柱の１本とを連結し、下面を有する支持軸と、
該支持軸の前記下面に間隔を置いて垂直に取付ける複数の保持軸と
を夫々有する、前記前スタンドと前記後スタンドとを連結する複数の補強要素    
を有する、前記前スタンド及び前記後スタンドに連結する補強装置と、
を有する基盤と、
該基盤に取付ける外壁組立体であって、
前記基盤の対応するスタンドの前記梁の１本に取付け、前記対応するスタンドの前記支柱と一直線にする複数の縦棒と、
該縦棒に垂直に連結して、前記棒間に複数の空間を形成し、前記基盤の前記対応する前記梁と平行となる複数の横棒と
を有する、前記基盤の前記スタンドの１つに取付けるベース枠と、
該ベース枠に取付け、該ベース枠の前記棒間の前記空間に確実に取付けて、太陽光を前記複合温室の前記室内に透過可能にする複数の透明板を有する透明装置と
を各壁が有する、前記基盤の前記スタンドに夫々取付ける４壁と、
前記対応する壁の外側に取付け、前記複合温室の前記室内と、前記対応する壁の前記空間を介して連通する出入扉と、
前記出入扉に連結する階段と
を有する、前記基盤の前記前スタンドに取付ける前記壁の外側に取付ける外枠と
を有する外壁組立体と、
前記側スタンドの１つに取付ける温度制御組立体であって、
前記対応する側スタンドの前記梁と前記支柱との間で前記対応する側スタンドに取付ける主枠と、
該主枠に取付ける少なくとも１つの採光窓であって、前記主枠に回転可能に取付ける複数の羽根板を有する採光窓と、
該少なくとも１つの採光窓の内側で前記主枠に取付ける防蚊用網と
を有する、前記対応する側スタンドに取付ける換気装置と、
貯水のために前記換気装置内側で地中に取付けるよう適合させる貯留部と、
該貯留部から水を汲み出すために前記貯留部に取付ける汲上げポンプと、
該汲上げポンプに連結して、該汲上げポンプを介して前記貯留部から水を輸送し、前記貯留部から上方に延伸する連結パイプと、
前記主枠と前記連結パイプとの間で前記複合温室に取付けて、前記貯留部に溜めた水を、前記汲上げポンプと前記連結パイプを介して受容するカーテンウォールと
を有する、前記換気装置内側で前記複合温室の前記室内に取付ける水壁装置と、
前記複合温室の前記室内に取付け、前記水壁装置と連結し、前記換気装置と対向させ、少なくとも１つの吸気ファンを有して、空気を前記複合温室内に前記水壁装置と前記換気装置を介して吸入する吸気装置と
を有する温度制御組立体と、
前記基盤の上方で前記外壁組立体に取付ける屋根であって、
複数の柱から成る主取付体と、
該主取付体に左右対称に連結する２側取付体と
を各屋根取付体が有する、前記外壁組立体の前記壁に間隔を置いて取付ける複数の屋根取付体と、
前記屋根取付体の前記主取付体と前記側取付体に連結する複数の主支持支柱と、
該主支持支柱間で前記屋根取付体に連結する複数の補強枠と、
を有する屋根と、
前記外壁組立体の前記壁間で前記基盤に取付ける植栽床であって、
２端枠と、  
該端枠間を連結する少なくとも１つの連繋枠と、
前記端枠と前記少なくとも１つの連繋枠に取付ける基板と、      
該基板周りに取付ける植栽ネットと、
前記端枠と前記少なくとも１つの連繋枠に連結して、前記植栽ネットと前記基板周りに取付ける複数の上部抵抗板と、
該上部抵抗板の下で、前記端枠と前記少なくとも１つの連繋枠に確実に連結する複数の下部抵抗板と
を各植栽枠が有する、前記基盤の前記補強装置に取付ける複数の植栽枠
を有する植栽床と、
を有する複合温室。
【請求項２】
各保持軸が、
長さと、
対応する支持軸の前記下面に取付ける上部支柱と、
該上部支柱に連結して、前記保持軸の前記長さ部分を調節する下部支柱
を有することを特徴とする、請求項１に記載の複合温室。
【請求項３】
前記温度制御組立体の前記換気装置が、前記主枠に取付け、前記少なくとも１つの採光窓に夫々連結する少なくとも１つの駆動モジュールを有し、該少なくとも１つの駆動モジュールの夫々が、
前記主枠の下に取付け、上面を有する電源装置と、
該電源装置の前記上面に回転可能に連結し、前記少なくとも１つの採光窓の１つの前記羽根板付近で上方向に延伸する駆動軸と、
該駆動軸周りに間隔を置いて確実に取付け、対応する採光窓の前記羽根板と夫々係合させて、前記羽根板を前記換気装置の前記主枠に対して回転可能にする複数の伝達装置と
を有することを特徴とする、請求項１又は２に記載の複合温室。
【請求項４】
前記屋根に取付け、前記複合温室の前記室内と連通させ、２外側面を有する通風室と、
該通風室に取付ける取付枠と、
該取付枠に取付け、該取付枠に回転可能に取付ける複数の羽根板を有する少なくとも１つの採光窓と、
該少なくとも１つの採光窓の内側で前記取付枠に取付けるストレーナと
を各換気装置が有する、前記通風室の前記外側面に夫々取付け、前記複合温室の前記室内と連通させる２換気装置と、
を更に備えることを特徴とする請求項１又は３に記載の複合温室。
【請求項５】
各換気装置が、前記取付枠に取付け、前記少なくとも１つの採光窓に夫々連結する少なくとも１つの駆動モジュールを有し、該少なくとも１つの駆動モジュールの夫々は、
前記取付枠の下に取付け、上面を有する電源装置と、
該電源装置の前記上面に回転可能に連結し、前記少なくとも１つの採光窓の１つの前記羽根板付近で上方向に延伸する駆動軸と、
該駆動軸周りに間隔を置いて確実に取付け、対応する採光窓の前記羽根板と夫々係合させて、前記羽根板を前記取付枠に対して回転可能にする複数の伝達装置と
を有することを特徴とする、請求項４に記載の複合温室。
【考案の詳細な説明】
【技術分野】
【０００１】
本考案は、温室に関し、特に、迅速に且つ容易に組立てて、植物を栽培できる又は生物を飼育できる複合温室に関する。
【背景技術】
【０００２】
気候変動は、農業や水産養殖に直接影響を与えるであろう。従来型温室内で栽培や飼育をすれば、気候変動の影響を緩和できる。植物や生物の特徴に応じて、様々な種類の従来型温室が建築されている。
【０００３】
従来型温室は、植物を栽培するために又は生物を飼育するために自然を模倣するように設計されており、複数のガラス窓を取付けて、太陽光が従来型温室内へと透過するようにし、従来型温室の温度を調節するために、換気装置を備えて、空気が従来型温室内に流入できるようにしている。
【０００４】
より多くの植物を栽培する又はより多くの生物を飼育するために、従来型温室の空間を広げるのに、従来型温室のパイプ又は支柱を溶接によって互いに連結するが、そのために従来型温室を組立てるのに多くの時間がかかる。更にまた、従来型温室の空間を広くすると、従来型温室を製造、輸送する費用が増大してしまう。また、従来型温室のパイプ又は支柱間の溶接処理に誤りがあれば、従来型温室の構造強度に悪影響が出てしまう。
【０００５】
本考案による複合温室により、上述した問題を緩和又は除去できる。  
【考案の概要】
【考案が解決しようとする課題】
【０００６】
本考案の主な目的は、植物を栽培する又は生物を飼育するために使用できる複合温室を提供することである。
【課題を解決するための手段】
【０００７】
本考案による複合温室は、基盤、外壁組立体、温度制御組立体、屋根、植栽床を有する。基盤は、前スタンド、後スタンド、２側スタンド、補強装置を有する。外壁組立体は、基盤に取付け、４壁と外枠を有する。壁は夫々、基盤のスタンドに取付け、各壁は、ベース枠と透明装置を有する。外枠は、基盤の前スタンドに取付ける壁の外側に取付け、出入扉と階段を有する。温度制御組立体は、側スタンドの１つに取付け、換気装置、水壁装置、吸気装置を有する。屋根は、基盤の上方で外壁組立体に取付け、複数の屋根取付体を有する。植栽床は、基盤の補強装置に取付け、夫々に２端枠、少なくとも１つの連繋枠、基板、植栽ネット、複数の抵抗板を有する。
【０００８】
本考案の他の目的、効果、新規な特徴については、添付図と共に解釈すると、以下の詳細な説明から、一層明らかになるであろう。
【図面の簡単な説明】
【０００９】
【図１】本考案による複合温室の斜視図である。
【図２】図１の複合温室の基盤を部分的に断面にした側面図である。
【図３】図１の複合温室の基盤に関する斜視図である。
【図４】図３の基盤に関する分解斜視図である。
【図５】図１の複合温室の側スタンド及び壁に関する拡大側面図である。
【図６】図１の複合温室の側スタンド、壁、温度制御組立体の拡大側面図である。
【図７】図６の複合温室の温度制御組立体を部分的に断面にした拡大側面図である。
【図８Ａ】図６の複合温室の温度制御組立体の別の拡大側面図である。
【図８Ｂ】図８Ａの複合温室の温度制御組立体の駆動モジュールに関する拡大側面図である。
【図９】図１の複合温室の屋根に関する拡大斜視図である。
【図１０】図９の複合温室の屋根に関する分解斜視図である。
【図１１】図１の複合温室の屋根取付体と通風室に関する拡大側面図である。
【図１２Ａ】図１１の通風室の換気装置に関する拡大側面図である。
【図１２Ｂ】図１２Ａの通風室の換気装置の駆動モジュールに関する拡大側面図である。
【図１３】図１１の通風室の換気装置に関する別の拡大断面側面図である。
【図１４】図２の複合温室の植栽枠に関する拡大分解斜視図である。
【図１５】図２の複合温室の植栽枠を部分的に断面にした拡大側面図である。
【図１６】図１の複合温室の植栽床に関する上面図である。
【図１７】図５の線１７−１７に沿って複合温室の壁を部分的に断面にした拡大側面図である。
【図１８】図５の線１８−１８に沿って複合温室の壁を部分的に断面にした拡大側面図である。
【図１９】図５の線１９−１９に沿って複合温室の壁を部分的に断面にした拡大側面図である。
【考案を実施するための形態】
【００１０】
図１及び図２を参照すると、本考案による複合温室は、基盤１０、外壁組立体、温度制御組立体３０、屋根、太陽エネルギ装置５０、植栽床を備える。
【００１１】
図３及び図４を参照すると、基盤１０は、前スタンド１１、後スタンド１２、２側スタンド１３、１４、補強装置１５を有する。前スタンド１１は、下梁１１２、複数の縦支柱１１３、２側支柱１１４、上梁１１１を有する。下梁１１２は、上面と２自由端を有する。縦支柱１１３は、下梁１１２の自由端間で間隔を置いて下梁１１２の上面に垂直に取付ける。各縦支柱１１３は、上端を有する。側支柱１１４は、縦支柱１１３と平行に、下梁１１２の自由端と夫々連結する。上梁１１１は、下梁１１２の上方で支柱１１３、１１４と連結し、下面と２自由端を有する。上梁１１１の下面は、縦支柱１１３の上端に取付ける。上梁１１１の自由端は、側支柱１１４に夫々連結する。
【００１２】
後スタンド１２は前スタンド１１と対向し、下梁１２２、複数の縦支柱１２３、２側支柱１２４、上梁１２１を有する。下梁１２２は、上面と２自由端を有する。縦支柱１２３は、下梁１２２の自由端間で間隔を置いて下梁１２２の上面に垂直に取付ける。各縦支柱１２３は、上端を有する。側支柱１２４は、縦支柱１２３と平行に、下梁１２２の自由端と夫々連結する。上梁１２１は、下梁１２２の上方で支柱１２３、１２４と連結し、下面と２自由端を有する。上梁１２１の下面は、縦支柱１２３の上端に取付ける。上梁１２１の自由端は、側支柱１２４に夫々連結する。
【００１３】
側スタンド１３、１４は、前スタンド１１と後スタンド１２に連結し、互いに対向させる。各側スタンド１３、１４は、上梁１３１、１４１、下梁１３２、１４２、複数の縦支柱１３３、１４３を有する。梁１３１、１４１、１３２、１４２は、前スタンド１１と後スタンド１２の側支柱１１４、１２４に夫々連結する。縦支柱１３３、１４３は、梁１３１、１４１、１３２、１４２間に、前スタンド１１と後スタンド１２の側支柱１１４、１２４間で間隔を置いて垂直に取付けて、梁１３１、１４１、１３２、１４２と支柱１３３、１４３との間で複数の空間を形成する。              
【００１４】
補強装置１５を、前スタンド１１と後スタンド１２に連結し、補強装置１５は、複数の補強要素１５１を有する。補強要素１５１は、前スタンド１１と後スタンド１２との間に連結し、各補強要素１５１は、支持軸１５２と複数の保持軸１５３を有する。支持軸１５２は、複数のパイプで形成してもよく、前スタンド１１の縦支柱１１３の１本と後スタンド１２の縦支柱１２３の１本との間に連結し、下面を有する。保持軸１５３は、間隔を置いて支持軸１５２の下面に垂直に取付けて、支持軸１５２を前スタンド１１と後スタンド１２の上梁１１１、１２１付近の位置に保持可能にする。また、各保持軸１５３は、上部支柱１５５と下部支柱１５４を有する。保持軸１５３の上部支柱１５５は、支持軸１５２の下面に取付ける。保持軸１５３の長さを調節し、支持軸１５２を水平方向に保持するように、下部支柱１５４を上部支柱１５５に連結する。
【００１５】
図１、図２、図５、図６を参照すると、外壁組立体を基盤１０に取付けており、外壁組立体は４壁２０と外枠２７を有する。壁２０は、基盤１０の枠１１、１２、１３、１４に夫々取付ける。各壁２０は、ベース枠２１、透明装置２５、複数のカバー板２６を有する。ベース枠２１は、基盤１０のスタンド１１、１２、１３、１４の１つに取付け、複数の縦棒２３、２４と複数の横棒２２を有する。縦棒２３、２４は、スタンド１１、１２、１３、１４の上梁１１１、１２１、１３１、１４１の内の１つに取付け、対応するスタンド１１、１２、１３、１４の縦支柱１１３、１２３、１３３、１４３と一直線にする。横棒２２は、縦棒２３、２４と垂直に連結して、棒２２、２３、２４間に複数の空間を形成し、基盤１０の対応するスタンド１１、１２、１３、１４の梁１１１、１１２、１２１、１２２、１３１、１３２、１４１、１４２と平行にする。好適には、各横棒２２を、複数の第１パイプ２２１と複数の第２パイプ２２２で作製する。
【００１６】
透明装置２５は、ベース枠２１に取付け、複数の透明板２５１を有する。透明板２５１をガラス製又は他の透明材製としてもよく、ベース枠２１の棒２２、２３、２４間の空間に確実に取付けて、太陽光を複合温室内へと透過可能にする。カバー板２６は不透明にし、梁１１１、１１２、１２１、１２２、１３１、１３２、１４１、１４２と支柱１１３、１１４、１２３、１２４、１３３、１３４、１４３、１４４の間で、基盤１０の対応するスタンド１１、１２、１３、１４の空間（ｒｏｏｍ）に取付ける。
【００１７】
外枠２７は、基盤１０の前スタンド１１に取付けた壁２０の外側に取付け、出入扉２７１と階段２７２を有する。出入扉２７１は壁２０の外側に取付け、対応する壁２０の空間を介して複合温室と連通させる。階段２７２は出入扉２７１と連結する。
【００１８】
図１、図７、図８を参照すると、温度制御組立体３０を側スタンド１３、１４どちらかの何れか１空間（ｒｏｏｍ）に取付け、対応する壁２０のカバー板２６の１枚と置換えており、温度制御組立体３０は、換気装置３１、水壁装置３２、吸気装置３３を有する。換気装置３１は、梁１３１、１３２と支柱１３３との間の対応する側スタンド１３の空間（ｒｏｏｍ）に取付け、主枠３１１、少なくとも１つの採光窓３１２、少なくとも１つの駆動モジュール３１４、防蚊用網３１８を有する。主枠３１１は、対応する側スタンド１３の空間（ｒｏｏｍ）に取付ける。少なくとも１つの採光窓３１２は、主枠３１１に取付け、複数の羽根板３１３を有する。好適には、温度制御組立体３０は２採光窓３１２を有する。羽根板３１３は、互いに平行にして主枠３１１に回転可能に取付ける。各羽根板３１３は、連結用端部とはすば歯車を有する。羽根板３１３の連結用端部は、対応する側スタンド１３の縦支柱１３３の１本付近で主枠３１１に取付ける。はすば歯車は、羽根板３１３の連結用端部に確実に取付ける。
【００１９】
少なくとも１つの駆動モジュール３１４は、主枠３１１に取付け、少なくとも１つの採光窓３１２に夫々接続する。少なくとも１つの駆動モジュール３１４夫々は、電源装置３１５、駆動軸３１６、複数の伝達装置３１７を有する。電源装置３１５は、歯車モータとしてもよく、主枠３１１の下に取付け、上面を有する。また、駆動モジュール３１４は、電源装置３１５に接続した制御装置を有してもよい。駆動軸３１６は、電源装置３１５の上面に回転可能に連結し、少なくとも１つの採光窓３１２の１枚の羽根板３１３のはすば歯車付近で上方に延伸する。伝達装置３１７は、はすば歯車としてもよく、間隔を置いて駆動軸３１６周りに確実に取付け、対応する採光窓３１２の羽根板３１３のはすば歯車と夫々係合させる。駆動軸３１６を電源装置３１５によって回転させると、羽根板３１３のはすば歯車と伝達装置３１７との係合により、羽根板３１３が回転する。その結果、少なくとも１つの採光窓３１２の羽根板３１３を、主枠３１１に対して回転でき、空気が複合温室内部に流入可能になる。防蚊用網３１８を、少なくとも１つの採光窓３１２内側で主枠３１１に取付ける。
【００２０】
水壁装置３２は、換気装置３１の内側で複合温室内部に取付け、貯留部３２１、汲上げポンプ３２２、連結パイプ３２３、カーテンウォール３２４、貯水槽３２５、送水管３２６を有する。貯留部３２１は、地中に、換気装置３１の内側に取付けて、水を貯蔵する。汲上げポンプ３２２は、貯留部３２１に取付けて、貯留部３２１から水を汲出す。連結パイプ３２３は、汲上げポンプ３２２に連結して、貯留部３２１から汲上げポンプ３２２を介して水を輸送し、貯留部３２１から上方に延出する。カーテンウォール３２４は、主枠３１１と連結パイプ３２３との間に複合温室内で取付けて、貯留部３２１に貯留した水を汲上げポンプ３２２と連結パイプ３２３を介して受容する。貯水槽３２５をカーテンウォール３２４の下に取付けて、カーテンウォール３２４から落下する水を受容する。送水管３２６は、貯留部３２１と貯水槽３２５の間に連結して、水が貯留部３２１に循環して流れるようにする。
【００２１】
吸気装置３３は、複合温室内に取付け、水壁装置３２に連結し、換気装置３１と対向させる。吸気装置３３は、少なくとも１つの吸気ファンを有して、空気を複合温室内に水壁装置３２と換気装置３１を介して吸入する。好適には、吸気装置３３の少なくとも１つの吸気ファンを駆動モジュール３１４の制御装置に接続する。
【００２２】
図７を参照すると、換気装置３１の少なくとも１つの採光窓３１２を開けると、水壁装置３２のカーテンウォール３２４が貯留部３２１から水を受容し、吸気装置３３の少なくとも１つの吸気ファンを回転させ、外気を引込んで、羽根板３１３、防蚊用網３１８、カーテンウォール３２４を介して複合温室に流入させられる。更に、少なくとも１つの採光窓３１２の羽根板３１３の角度を、風向きに応じて調節して、外気を容易に複合温室内部に流入可能にできる。また、複合温室内部の空気を、防蚊用網３１８とカーテンウォール３２４によって清浄、冷却することもできる。その結果、太陽光が透明板２５１を介して複合温室へと透過した際に、温度制御組立体３０を使用して、複合温室内部の温度を低くし、調節できる。
【００２３】
図２、図９、図１０を参照すると、屋根は、基盤１０の上方で外壁組立体に取付けられ、複数の屋根取付体４０、複数の主支持支柱４３、複数の補強枠４４を有する。屋根取付体４０は、外壁組立体の壁２０に間隔を置いて取付ける。各屋根取付体４０は、主取付体４１と２側部取付体４２を有する。主取付体４１は、２側柱４１１、２横柱４１３、中心柱４１２、２斜柱４１４を有する。横柱４１３は、側柱４１１と連結して、矩形枠を形成する。中心柱４１２は、側柱４１１間で横柱４１３に連結し、最上の横柱４１３から延出する上端を有する。斜柱４１４は、中心柱４１２の上端と最上の横柱４１３と連結する。好適には、主取付体４１の柱４１１、４１２、４１３、４１４を互いに溶接によって連結する。
【００２４】
図１０と図１１を参照すると、側部取付体４２を主取付体４１と左右対称に連結する。各側部取付体４２は、下棒４２１、斜棒４２２、２縦支持棒４２３、２斜補強棒４２４を有する。下棒４２１は、主取付体４１の最下にある横柱４１３と連結する。斜棒４２２は、下棒４２１と斜めに連結し、主取付体４１の斜柱４１４の一方と連結して、下棒４２１と斜棒４２２との間で三角形の空間を形成し、下棒４２１と対向し且つ主取付体４１の対応する斜柱４１４と連結する自由端４２５を有する。縦支持棒４２３は、下棒４２１と斜棒４２２との間で間隔を置いて連結する。斜補強棒４２４は、下棒４２１、斜棒４２２、縦支持棒４２３の間に斜めに連結する。好適には、棒４２１、４２２、４２３、４２４を、互いに溶接によって連結し、側部取付体４２を主取付体４１と溶接によって連結する。
【００２５】
図９及び図１０を参照すると、主支持支柱４３の断面を四角形又は円形としてもよく、屋根取付体４０の主取付体４１と側部取付体４２に連結する。補強枠４４を、主支持支柱４３間で屋根取付体４０に連結する。各補強枠４４は、横支柱４４１と斜支柱４４２を有する。横支柱４４１は、隣接する２側部取付体４２の縦支持棒４２３中２本との間で連結する。斜支柱４４２は、横支柱４４１と連結し、横支柱４４１と連結する対応する縦支持棒４２３の１本と連結する自由端４４３を有する。側部取付体４２の補強棒４２３、４２４と補強枠４４の支柱４４１、４４２を使用して、複合温室の屋根の構造的強度を増大させる。
【００２６】
図１及び図１１を参照すると、太陽エネルギ装置５０を屋根に取付けて、空気循環の効果を増大させるが、太陽エネルギ装置５０は、複数の取付パネル５４、通風室５１、２換気装置５３を有する。取付パネル５４は、太陽電池パネルとしてもよく、屋根取付体４０に取付ける。通風室５１は、取付パネル５４に取付け、複合温室内部と連通して、２外側面、複数の取付器具５１１、複数の連結器具５１２、複数の覆い５２を有する。取付器具５１１を取付パネル５４に取付け、上方に突出させる。各取付器具５１１は、上端を有する。連結器具５１２を取付器具５１１の上端と連結すると共に、互いに連結して、器具５１１、５１２間に複数の空間を形成する。覆い５２を、器具５１１、５１２間の空間に取付ける。
【００２７】
図１２及び図１３を参照すると、換気装置５３を通風室５１の外側面に夫々取付け、複合内部と連通させている。各換気装置５３は、取付枠５３１、少なくとも１つの採光窓５３２、少なくとも１つの駆動モジュール５３４、ストレーナ５３８を有する。取付枠５３１は、通風室５１の空間の１つに取付ける。少なくとも１つの採光窓５３２は、取付枠５３１に取付け、複数の羽根板５３３を有する。好適には、各換気装置５３は、２採光窓５３２を有する。羽根板５３３は、取付枠５３１に回転可能に取付け、互いに平行にする。各羽根板５３３は、連結端とはすば歯車を有する。羽根板５３３の連結端を、通風室５１の取付器具５１１の１つ付近で取付枠５３１に取付ける。はすば歯車を確実に羽根板５３３の連結端に取付ける。    
【００２８】
少なくとも１つの駆動モジュール５３４を取付枠５３１に取付け、少なくとも１つの採光窓５３２と夫々連結する。少なくとも１つの駆動モジュール５３４夫々は、電源装置５３５、駆動軸５３６、複数の伝達装置５３７を有する。電源装置５３５は、歯車モータとしてもよく、取付枠５３１の下に取付け、上面を有する。また、駆動モジュール５３４は、電源装置５３５と接続した制御装置を有してもよい。駆動軸５３６を電源装置５３５の上面に回転可能に連結し、少なくとも１つの採光窓５３２中１窓の羽根板５３３のはすば歯車付近で上方に延伸させる。伝達装置５３７は、はすば歯車としてもよく、間隔を置いて駆動軸５３６周りに確実に取付け、対応する採光窓５３２の羽根板５３３のはすば歯車と夫々係合させる。駆動軸５３６を電源装置５３５によって回転させると、羽根板５３３が、羽根板５３３のはすば歯車と伝達装置５３７との係合によって回転する。その結果、少なくとも１つの採光窓５３２の羽根板５３３を取付枠５３１に対して回転でき、空気が複合温室内部に流入可能になる。ストレーナ５３８を、少なくとも１つの採光窓５３２内側で取付枠５３１に取付ける。  
【００２９】
図２、図１４、図１５を参照すると、植栽床を壁２０間で基盤１０に取付けており、植栽床は、複数の植栽枠６０、複数の支持アーム６８、複数の床板６９を有する。
【００３０】
植栽枠６０を、基盤１０の補強装置１５に取付けるが、各植栽枠６０は、２端枠６１、６２、少なくとも１つの連繋枠６３、基板６４、植栽ネット６５、複数の上部抵抗板６６、複数の下部抵抗板６７を有する。各端枠６１、６２は、複数の取付アーム６１２、６２２、２連繋アーム６１１、６２１、複数の保持アーム６１３、６２３、端アーム６１４、６２４を有する。端枠６１、６２の取付アーム６１２、６２２を、補強装置１５の支持軸１５２に確実に取付ける。各取付アーム６１２、６２２は、先端部と長さを有する。各連繋アーム６１１、６２１は、取付アーム６１２、６２２の２先端部に連結し、長さを有する。保持アーム６１３、６２３を、間隔を置いて連繋アーム６１１、６２１に連結する。各保持アーム６１３、６２３は、外側端部と内側端部を有する。保持アーム６１３、６２３の外側端部は、連繋アーム６１１、６２１の１本と連結する。保持アーム６１３、６２３の内側端部は、他の連繋アーム６１１、６２１より出るようにする。端アーム６１４、６２４を、保持アーム６１３、６２３の外側端部に取付ける。
【００３１】
少なくとも１つの連繋枠６３を、端枠６１、６２と連結する。少なくとも１つの連繋枠６３夫々は、２取付アーム６３２、連繋アーム６３１、複数の保持アーム６３３を有する。取付アーム６３２を、補強装置１５の支持軸１５２に確実に取付け、端枠６１、６２の取付アーム６１２、６２２と一列に並べる。各取付アーム６１２、６２２は先端部と長さを有する。取付アーム６３２の長さを、端枠６１、６２の取付アーム６１２、６２２の長さと同じにする。連繋アーム６３１は、取付アーム６３２と連結し、端枠６１、６２の連繋アーム６１１、６２１と平行にし、長さと上面を有する。連繋アーム６３１の長さを端枠６１、６２の連繋アーム６１１、６２１の長さと同じにする。保持アーム６３３を、間隔を置いて連繋アーム６３１の上面に取付け、端枠６１、６２の保持アーム６１３、６２３の内側端部と夫々連結する。    
【００３２】
図１５を参照すると、基板６４を、プラスチック材料製としてもよく、端枠６１、６２の保持アーム６１３、６２３、６３３及び少なくとも１つの連繋枠６３に取付ける。植栽ネット６５を、基板６４周りに連結する。上部抵抗板６６を、端枠６１、６２の最も外側の保持アーム６１３、６２３、６３３と少なくとも１つの連繋枠６３、及び端枠６１、６２の最も外側の連繋アーム６１１、６２１に連結して、植栽ネット６５と基板６４周りに取付ける。各上部抵抗板６６は、複数の留め具６６１を有して、端枠６１、６２及び少なくとも１つの連係枠６３の対応する最も外側の保持アーム６１３、６２３、６３３、又は端枠６１、６２の対応する最も外側の連係アーム６１１、６２１に連結する。下部抵抗板６７を、上部抵抗板６６の下で、端枠６１、６２及び少なくとも１つの連繋枠６３に確実に連結して、端枠６１、６２の取付アーム６１２、６２２、６３２及び少なくとも１つの連繋枠６３周りに取付ける。各下部抵抗板６７の長さを、端枠６１、６２の取付アーム６１２、６２２、６３２夫々及び少なくとも１つの連繋枠６３の長さより短くする。    
【００３３】
図２及び図１６を参照すると、植栽床は、間隔を置いて基盤１０に取付けた５植栽枠６０を有する。支持アーム６８を、補強装置１５の支持軸１５２に、植栽枠６０の端枠６１、６２の取付アーム６１２、６２２、６３２と少なくとも１つの連繋枠６３との間で間隔を置いて、植栽枠６０の下部抵抗板６７の下で取付ける。床板６９を、植栽枠６０周りで支持アーム６８に取付けて、ユーザが複合温室内で植栽枠６０周りを歩けるようにする。  
【００３４】
本考案による複合温室は、基盤１０、外壁組立体、温度制御組立体３０、屋根、太陽エネルギ装置５０、植栽床を連結するための複数の連結形式を有する。第１連結形式では、例えば、図５及び図１７を参照すると、固定板７０を横棒２２の第１パイプ２２１の１本に確実に取付けており、固定板７０は、内面と少なくとも１つの締着セグメント７１を有する。少なくとも１つの締着セグメント７１は、固定板７０の内面に形成し、内面から突出し、固定板７０と締着セグメント７１を貫通し形成したネジ穴７２を有する。位置決め板７３を、第１パイプ２２１に連結する横棒２２の第２パイプ２２２に確実に取付け、固定板７０と対面させて当接し、位置決め板７３は、開口穴７５、少なくとも１つの貫通孔７４、少なくとも１つのねじボルト７６、封止板７７を有する。開口穴７５は、第２パイプ２２２の上面を貫通し形成する。少なくとも１つの貫通孔７４は、位置決め板７３を貫通して形成し、少なくとも１つの締着セグメント７１のネジ穴７２と位置合わせする。少なくとも１つのねじボルト７６を、開口穴７５を介して第２パイプ２２２に取付け、更に位置決め板７３の少なくとも１つの貫通孔７４を通して取付け、固定板７０の少なくとも１つの締着セグメント７１のネジ穴７２に螺着して、第２パイプ２２２を第１パイプ２２１と連結する。パイプ２２１、２２２を互いに連結して後、封止板７７を開口穴７５に確実に取付けて、少なくとも１つのねじボルト７６を覆う。      
【００３５】
図５及び図１８を参照すると、第２連結形式では、固定板８０は、横棒２２の１本に確実に取付け、内面と複数の締着セグメント８１を有する。締着セグメント８１を固定板８０の内面に間隔を置いて形成し、内面から突出させ、各締着セグメント８１は、固定板８０と締着セグメント８１を貫通して形成したネジ穴８２を有する。対応する横棒２２に連結する縦棒２３の側面を固定板８０と対面させて当接させ、該側面には、開口穴８４、複数の貫通孔８３、複数のねじボルト８５、封止板８６を有する。開口穴８４は、縦棒２３の上面を通して形成する。貫通孔８３は、縦棒２３の側面を貫通して形成し、締着セグメント８１のネジ穴８２と位置合わせする。ねじボルト８５を、開口穴８４を介して縦棒２３に取付け、縦棒２３の貫通孔８３を通して夫々取付け、固定板８０の締着セグメント８１のネジ穴８２に螺着して、縦棒２３を横棒２２に連結する。棒２２、２３を互いに連結して後、封止板８６を開口穴８４に確実に取付けて、ねじボルト８５を覆う。  
【００３６】
第３連結形式に関して、図５及び図１９を参照すると、縦棒２４の１本と隣接する２横棒２２とを連結するのに、２固定板９０を隣接する横棒２２に夫々確実に取付け、各固定板９０は、内面と複数の締着セグメント９１を有する。締着セグメント９１を、固定板９０の内面に間隔を置いて形成し、内面から突出させ、各締着セグメント９１は、固定板９０と締着セグメント９１を貫通して形成したネジ穴９２を有する。隣接する横棒２２に連結する縦棒２４は、２側面、上面、開口穴９４、封止板９６を有する。縦棒２４の側面を夫々固定板９０と対面させて当接させ、各側面は、複数の貫通孔９３と複数のねじボルト９５を有する。貫通孔９３を、縦棒２４の側面を通して形成し、対応する固定板９０の締着セグメント９１のネジ穴９２と位置合わせする。ねじボルト９５を、縦棒２４に取付け、縦棒２４の貫通孔９３を通して夫々取付け、対応する固定板９０の締着セグメント９１のネジ穴９２に螺着して、縦棒２４を対応する横棒２２に連結する。開口穴９４を縦棒２４の上面を貫通して形成して、ねじボルト９５を棒２２、２４間に取付け可能にする。棒２２、２４を互いに連結して後、封止板９６を開口穴９４に確実に取付けて、ねじボルト９５を覆う。
【００３７】
使用する際に、本考案による複合温室の基盤１０、外壁組立体、屋根、植栽床を別々に組立てでき、目的地まで別々に輸送でき、その後互いに連結して、複合温室を迅速に且つ容易に形成できる。また、外壁組立体の透明装置２５により、太陽光を複合温室に十分に透過可能にできる。温度制御組立体３０の換気装置３１を使用して、空気を複合温室に流入させて、複合温室の温度を下げられ、複合温室内の温風を、屋根に取付けた換気装置５３によって、複合温室の外に流出できる。その結果、複合温室の温度を、温度制御組立体３０の換気装置３１及び換気装置５３によって適宜調節できる。    
【００３８】
本考案の多数の特徴や効果について、本考案の構造及び特徴の詳細と共に、以上で記載したが、これらの開示は一例に過ぎない。変更については、細部に対して、特に形状、大きさ、部品の配置に関して、本考案の原理を満たす範囲内で、付記したクレームを表現した用語が広義で示す限りにおいて、これを加えてもよい。
【符号の説明】
【００３９】
１０        基盤
１１        前スタンド
１２        後スタンド
１３、１４  側スタンド
１５        補強装置
２０        壁
２１        ベース枠
２２        横棒
２３、２４  縦棒
２５        透明装置
２６        カバー板
２７        外枠
３０        温度制御組立体
３１        換気装置
３２        水壁装置
３３        吸気装置
４０        屋根取付体
４１        主取付体
４２        側部取付体
４３        支持支柱
４４        補強枠
５０        太陽エネルギ装置
５１        通風室
５２        覆い
５３        換気装置
５４        取付パネル
６０        植栽枠
６１、６２  端枠
６３        連繋枠
６４        基板
６５        植栽ネット
６６        上部抵抗板
６７        下部抵抗板
６８        支持アーム
６９        床板
７０、８０、９０  固定板
７１、８１、９１  締着セグメント
７２、８２、９２  ネジ穴
７３        位置決め板
７４、８３、９３  貫通孔
７５、８４、９４  開口穴
７６、８５、９５  ねじボルト
７７、８６、９６  封止板
１１１、１２１、１３１、１４１  上梁
１１２、１２２、１３２、１４２  下梁
１１３、１２３、１３３、１４３  縦支柱
１１４、１２４    側支柱
１５１      補強要素
１５２      支持軸
１５３      保持軸
１５４      下部支柱
１５５      上部支柱
２２１      第１パイプ
２２２      第２パイプ
２５１      透明板
２７１      出入扉
２７２      階段
３１１      主枠
３１２、５３２    採光窓
３１３、５３３    羽根板
３１４、５３４    駆動モジュール
３１５、５３５    電源装置
３１６、５３６    駆動軸
３１７、５３７    伝達装置
３１８      防蚊用網
３２１      貯留部
３２２      汲上げポンプ
３２３      連結パイプ
３２４      カーテンウォール
３２５      貯水槽
３２６      送水管
４１１      側柱
４１２      中心柱
４１３      横柱
４１４      斜柱
４２１      下棒
４２２      斜棒
４２３      縦支持棒
４２４      斜補強棒
４２５、４４３  自由端  
４４１      横支柱
４４２      斜支柱
５１１      取付器具
５１２      連結器具
５３１      取付枠
５３８      ストレーナ
６１１、６２１、６３１  連繋アーム
６１２、６２２、６３２  取付アーム
６１３、６２３、６３３  保持アーム
６１４、６２４  端アーム
６６１      留め具
【図１】
0003174252.tif 000003
【図２】
0003174252.tif 000004
【図３】
0003174252.tif 000005
【図４】
0003174252.tif 000006
【図５】
0003174252.tif 000007
【図６】
0003174252.tif 000008
【図７】
0003174252.tif 000009
【図８Ａ】
0003174252.tif 000010
【図８Ｂ】
0003174252.tif 000011
【図９】
0003174252.tif 000012
【図１０】
0003174252.tif 000013
【図１１】
0003174252.tif 000014
【図１２Ａ】
0003174252.tif 000015
【図１２Ｂ】
0003174252.tif 000016
【図１３】
0003174252.tif 000017
【図１４】
0003174252.tif 000018
【図１５】
0003174252.tif 000019
【図１６】
0003174252.tif 000020
【図１７】
0003174252.tif 000021
【図１８】
0003174252.tif 000022
【図１９】
0003174252.tif 000023